(57)【要約】【課題】  筐体に基板を配設したシャーシを備えた無線機において、該無線機のメンテナンスを行う際には、筐体内に固定されているシャーシを取り外すが、ネジ止めで固定しているスペース部分に限りがあるため、シャーシの取り外しが難しい。【解決手段】  他の無線機と通信を行うための基板を１又は複数備えたシャーシ（５）と、該シャーシ（５）を収納する筐体とを備え、前記シャーシ（５）は、凹状に形成され、該凹状の両端部分を外側へ折り曲げた形状（５a）とする逆オーム形状とし、前記筐体の内部の両端には前記シャーシ（５）の両端に形成された折り曲げ部分（５a）と接合させるための突出部（６）を設けたことを特徴とすることで小型化した場合でもメンテナンスの向上を図ることができる。【選択図】  図１
2008193353.tif 000002
【特許請求の範囲】
【請求項１】
他の無線機と通信を行うための基板を１又は複数備えたシャーシと、
該シャーシを収納する筐体とを備え、
前記シャーシは、凹状に形成され、該凹状の両端部分を外側へ折り曲げた形状とする逆オーム形状とし、前記筐体の内部の両端には前記シャーシの両端に形成された折り曲げ部分と接合させるための突出部を設けたことを特徴とする無線機。
【発明の詳細な説明】
【技術分野】
【０００１】
本発明は、アンテナ回路や回路ユニットを接続する場合の組込構造に関する。
【背景技術】
【０００２】
従来の無線機の構造について、図５を用いて説明する。図５に示しているように従来の無線機は、筐体の中にＲＦ・ＭＯＤＥＭ基板１と光基板２を１ユニットとして配設し、アンテナ部７により筐体に蓋をする構造となっている。
前記ＲＦ・ＭＯＤＥＭ基板１はシャーシ５の上面に配設されており、シャーシ５の上面に配設されているデュプレクサ３とケーブル９で接続されている。また、前記光基板２はシャーシ５の下面に配設され、ケーブル９により前記ＲＦ・ＭＯＤＥＭ基板１と接続された構成となっており、１ユニットとなっている。
更に、前記デュプレクサ３は、前記アンテナ部７とケーブル９で接続され、光基板２は光ケーブル８により筐体の側面に配設されているコネクタ４と接続された構成となっている。
【０００３】
次に、ＲＦ・ＭＯＤＥＭ基板１と光基板２で構成されるシャーシ５を筐体への配設について説明をする。筐体の内部には、ＲＦ・ＭＯＤＥＭ基板１と光基板２で構成されるシャーシ５を固定するために内側に突起部６が設けられており、シャーシ５はこの突起部６によりネジ止め等で固定される。この突起部６の高さは、シャーシ５の下面に備えられている光基板２の高さより高くなっており、シャーシ５を筐体内に配設しても筐体の底面に光基板２が当たらないようになっている。
従来の無線機は上記のようにシャーシ５を筐体内に固定し、アンテナ部７で蓋をする構成としていた。
【０００４】
従来の無線機は、例えば特許文献１がある。
【０００５】
【特許文献１】特開２００６−２６８６４０
【発明の開示】
【発明が解決しようとする課題】
【０００６】
従来は、シャーシの上面にＲＦ・ＭＯＤＥＭ基板を配設し、シャーシの下面に光基板を備えた構成としたユニットを筐体内の突起部でネジ止めを行い固定していた。しかしながら、無線機の小型化により、筐体内の突起部にユニットを固定する時のネジ止めするスペースに限りがあり、限られたスペース内でユニットを筐体内にネジ止めをすることが困難となっていた。また、筐体側面に配設されているコネクタと光基板を接続する光ケーブルは光通信を行うために所定の長さが必要になる。しかしながら、この光ケーブルは筐体内に納められた時には、ケーブルは固定されず筐体内に配設していたためケーブルが振動等により動き光基板と筐体側面に配設されているコネクタとの接続部分に負荷をかけてしまい無線機の通信に影響を与えてしまう。また、アンテナ部とデュプレクサとを接続しているケーブルも同様に筐体内で折れ曲がり、アンテナ部とデュプレクサとの接続部分に負荷をかけてしまう。このため、組込の際にはケーブル等が折れ曲がったりするのを防止するために慎重に組込作業をする必要があった。
【０００７】
また、無線機のメンテナンスを行う際には、アンテナ部を取り外し、その後筐体内に固定されているユニットを取り外すこととなるが、上記で述べた通りネジ止めで固定しているスペースに限りがあるため、ユニットの取り外しが難しい。更に、ユニットの下面に備えられている光基板は光ケーブルと接続されているため筐体からユニットを取り外す際に取り外しが難しくなる。
【課題を解決するための手段】
【０００８】
本発明は、上記課題を解決するために、他の無線機と通信を行うための基板を１又は複数備えたシャーシと、該シャーシを収納する筐体とを備え、前記シャーシは、凹状に形成され、該凹状の両端部分を外側へ折り曲げた形状とする逆オーム形状とし、前記筐体の内部の両端には前記シャーシの両端に形成された折り曲げ部分と接合させるための突出部を設ける構成とすることで小型化した場合でもメンテナンスの向上を図ることができる。
【発明の効果】
【０００９】
本発明の第１の実施形態によれば、RF・MODEM基板や光基板を配設するシャーシを逆オーム型とし、筐体内に備えた突出部までシャーシを落とし込みネジ止めすることにより、逆オーム形の両端部分の外側に折り曲げられた部分を、ネジ止めするためのスペースとして使用できることから、シャーシの取り付け時やメンテナンス等のシャーシの取り外し時のネジ止め、ネジの取り外しを容易にすることができる。
また、筐体内に配設される光ケーブルをシャーシ上面に集約するようにシャーシに配設する基板の位置や筐体の一方側面に設けたコネクタの位置をシャーシ上方に配置することで、メンテナンス時の光ケーブルの取り外しを容易にし、更にシャーシを容易に筐体から取り外すことができるようにしている。
また、筐体内に配設する光ケーブルをシャーシに配設しているプッシュオンコネクタ部に巻き付けるようにして光ケーブルを固定するようにしたため、光ケーブルが固定されず振動等によりケーブルの接続部分への負荷を低減することができる。
【００１０】
第２の実施形態では、シャーシと光ケーブルが干渉することを防止したため、第１の実施形態より更にメンテナンスを行う際の取り外しが容易となる。また第２の実施形態では、光ケーブルをシャーシの下面側を通して筐体の一方側面に設けたコネクタと接続するようにしているため、光ケーブルを固定する際には、光ケーブルを巻いた状態で束ね固定具を設けて筐体内部の底面等に固定するようにすることで、光ケーブルが固定されず振動等により光ケーブルの接続部分に負荷がかかることを防止することができる。
【発明を実施するための最良の形態】
【００１１】
本発明の第１の実施形態について説明する。図１は、本発明の第１の実施形態を示した図である。図１に示すように、第１の実施形態に係る無線機も従来同様に、筐体の中にＲＦ・ＭＯＤＥＭ基板１と光基板２を１ユニットとして配設し、アンテナ部７により筐体に蓋をする構造となっている。本発明の無線機は、特に高速道路の料金所や駐車場等に設置されている無線機であり、車等に備えられている無線機と通信を行うものである。
【００１２】
まず、本発明で用いているシャーシ５について説明を行う。シャーシ５は、逆オーム型の形状（シャーシを凹状とし、凹状の両端部分を外側に折り曲げた形状、以下、逆オーム形と呼ぶ）のシャーシ５を使用している。このシャーシ５は、両端が外側に折り曲げられた形状５aとなっており、この部分が筐体内の突出部６まで落とし込まれ、シャーシ５を筐体内で固定するためにネジ止めされる。また、シャーシ５の中央部分（凹状の凹み部分、以下、中央部分と呼ぶ）には、従来と同様にＲＦ・ＭＯＤＥＭ基板１や光基板２やデュプレクサ３等を配設し、１ユニットとしている。
【００１３】
次に、シャーシ５に配設する基板の配設の方法について説明する。まず、光基板２は従来シャーシ５の下面に配設される構成としていたが、無線機のメンテナンス時などに光ケーブル８と接続している光基板２がシャーシ５の下面にあることで、光ケーブル８を取り外してシャーシ５のみ筐体から取り外すのが困難となっていた。このため、本発明では、シャーシ５の中央部の上面に光基板２とプッシュオンコネクタ１０の受け側を配設するようにしている。このようにすることにより従来問題となっていたメンテナンスを行う時に、シャーシ５のみを取り外す場合に、光ケーブル８を光基板２から容易に取り外すことが可能となる。
また、シャーシの中央部の下面にＲＦ・ＭＯＤＥＭ基板１とデュプレクサ３を備えるように配設する。このようにシャーシ５に各基板を配設することで、光ケーブル８で接続されている基板をシャーシの上面に集約することができる。これにより、メンテナンス時などに光ケーブル８の取り外しを容易に行うことができ、メンテナンス時の作業の効率化を図ることが可能となる。
【００１４】
次に、シャーシ５に配設された光基板２とＲＦ・ＭＯＤＥＭ基板１とデュプレクサ３とプッシュオンコネクタ１０の接続について説明する。
まず、上述したようにシャーシ５の中央部の上面には、光基板２とプッシュオンコネクタ１０が配設されている。また、シャーシ５の中央部の下面には、ＲＦ・ＭＯＤＥＭ基板１とデュプレクサ３が配設されている。シャーシ５の上面に配設されているプッシュオンコネクタ１０は、アンテナ部７に備えられているプッシュオンコネクタ１０と嵌合する位置（対称の位置）に設けられており、シャーシ５側に配設されているプッシュオンコネクタ１０は、シャーシ５の下面にプッシュオンコネクタ１０と対称の位置に配設されているデュプレクサ３に接続されている構成となっている。このデュプレクサ３は、ケーブル９によりＲＦ・ＭＯＤＥＭ基板１と接続されている。また、このＲＦ・ＭＯＤＥＭ基板１はシャーシ５の上面に配設されている光基板２に接続されるように構成されている。このようにして、光基板２とＲＦ・ＭＯＤＥＭ基板１とプッシュオンコネクタ１０とデュプレクサ３をシャーシ５に配設し、１ユニットとしている。
【００１５】
次に、無線機の筐体の構造について説明する。本発明の無線機の筐体構造は従来と同様にコ字状に形成され、筐体内には、逆オーム型のシャーシ５両端の折り曲げ部５aをネジ止めし固定するための突起部６を設けた構成となっている。
また、筐体の側部の一方には光基板２と接続されている光ケーブル８と接続するコネクタ４が備えられている。従来は、筐体の一方の側部下方に設けられていたコネクタ４を上方に設けるようにしている。これにより、光ケーブル８を筐体の上部に集約することが可能となり、メンテナンス時に光ケーブル８の取り外しが容易となり、シャーシのみを効率よく取り外すことができるようになる。
【００１６】
次に、筐体にシャーシを挿入し固定する場合について説明する。上記で説明したようにシャーシ５両端の折り曲げ部５aを、筐体内の突出部６まで落とし込む。筐体内の突出部６まで落とし込まれたシャーシ５の折り曲げ部５aは、シャーシ５の上面から筐体内の突出部６方向へネジ止めされ固定される。このようにシャーシ５の両端に折り曲げ部５aを設け筐体内に挿入し固定する構成としていることから、シャーシ５両端の折り曲げ部５aをネジ止め用のスペースとして利用することができ、筐体を小型にした場合でも、ネジ止め用のスペースを確保できることから容易にネジ止めを行うことができ、メンテナンス時のシャーシ５の取り外しも容易に行うことができるようになる。
【００１７】
次に、筐体にアンテナ部７を取り付ける場合について説明する。上記で説明したようにシャーシ５を筐体に固定した後、光基板２と筐体の一方の側面上方に取り付けられたコネクタ４とを光ケーブル８で接続する。光ケーブル８を接続する際には、シャーシ５の凹部側面の一方と筐体内部に備えられている突出部６の一方に光ケーブル８を通すための穴が備えられており、この中を光ケーブル８を通すことで、光基板２とコネクタ４を光ケーブル８で接続している。この光ケーブル８は、ある一定の長さを確保する必要があるため光基板２からコネクタ４までの距離以上の長さとなってしまう。このため、光基板２からコネクタ４までの距離以上の長さの光ケーブル８を使用する際には、シャーシ５上面に配設されているプッシュオンコネクタ１０部分に光ケーブル８を巻き付けることで光ケーブル８を固定し、従来問題となっていた振動等による光ケーブルの接続部分への負荷を低減することができる。上述したように、光基板２と筐体の一方の側面上方に取り付けられたコネクタ４とを光ケーブル８で接続した後に、アンテナ部７を筐体に取り付けることとなる。アンテナ部７を取り付ける際には、シャーシ５に配設しているプッシュオンコネクタ１０とアンテナ部７に配設されているプッシュオンコネクタ１０が嵌合するように、アンテナ部７を筐体へ取り付けを行い、最後にネジ止めを行うことで固定を行う。
【００１８】
以上説明したように、本発明の第１の実施形態によれば、RF・MODEM基板１や光基板２を配設するシャーシ５の両端を折り曲げ形状５aとした逆オーム型のシャーシ５とし、筐体内に備えた突出部６までシャーシ５を落とし込みネジ止めすることにより、折り曲げ部をネジ止めするためのスペースとして使用できることから、シャーシ５の取り付け時やメンテナンス等のシャーシ５の取り外し時のネジ止め、ネジの取り外しを容易にすることができる。
また、筐体内に配設される光ケーブル８をシャーシ５上面に集約するようにシャーシ５に配設する基板の位置や筐体の一方側面に設けたコネクタ４の位置をシャーシ５上方に配置することで、メンテナンス時の光ケーブル８の取り外しを容易にし、更にシャーシ５を容易に筐体から取り外すことができるようにしている。
また、筐体内に配設する光ケーブル８をシャーシ５に配設しているプッシュオンコネクタ部１０に巻き付けるようにして光ケーブル８を固定するようにしたため、光ケーブル８が固定されず振動等によりケーブルの接続部分への負荷を低減することができる。
【００１９】
本発明の第２の実施形態について説明する。図２は、本発明の第２の実施形態を示した図である。図２に示すように、第２の実施形態に係る無線機も従来同様に、筐体の中にＲＦ・ＭＯＤＥＭ基板１と光基板２を１ユニットとして配設し、アンテナ部７により筐体に蓋をする構造となっている。
【００２０】
本発明の第２の実施形態も基本の構成としては、第１の実施形態と同様の構成となっている。第１の実施形態では、逆オーム型のシャーシ５上面に光基板を配設し、筐体の一方側面の上方に設けたコネクタ４とを光ケーブル８で接続する構成としている。しかしながら、上述したように第１の実施形態では、光ケーブル８が逆オーム型シャーシ５の凹状の側面の一方と筐体内の突出部の一方に備えられた光ケーブル８を通す穴を通して接続されているため、メンテナンスでシャーシ５を取り外す際には、光ケーブル８を筐体側面に設けたコネクタ４と接続するための穴から取り外す必要がある。
このため、第２の実施形態では、第１の実施形態より更にメンテナンス性を向上させるための実施形態を説明していく。ここでは、第２の実施形態の基本構成はほぼ第１の実施形態と同様であるため、相違している部分について説明を行う。
【００２１】
図２は、第２の実施形態を示した図である。第１の実施形態と相違する部分としては、筐体の一方側面に設けたコネクタ４を下方に設けている点である。上述したように第１の実施形態では、光ケーブル８が逆オーム型シャーシ５の凹状の側面の一方と筐体内の突出部の一方に備えられた穴に光ケーブル８を通して接続されているためメンテナンス性が悪くなるという点があった。このため、第２の実施例では光ケーブル８をシャーシ５の凹状の側面の一方に設けた穴を通さないようにするために、筐体の一方側面の下方にコネクタ４を配置する構成としている。
【００２２】
また、シャーシ５の上面に配設されている光基板２と筐体の一方側面の下方に設けたコネクタ４とを接続するために、シャーシ５の折り曲げ部５aの一方に切欠部１１を設け、筐体内部の一方の突出部６にも切欠部１１を設け、この切欠部１１の中を光ケーブル８を通すことで接続する構成としている。
【００２３】
上述したシャーシ５と筐体内の突出部６に設けた切欠部１１について、図３、図４を用いて具体的に説明する。図３はシャーシ５を上面から見た図面であり、図４は筐体を上面から見た図面である。
図３に示すように、シャーシ５の折り曲げ部５aの一方にコ字状の切欠部１１を設けている。また図４に示すように、筐体内部に設けている突出部６の一方にもコ字状の切欠部１１を設けている。この図４に示す切欠部１１は、突出部６の高さ方向にレール状に切欠部１１を設ける構成とする。
図３に示すシャーシ５と図４の筐体内部に備えた突出部とを固定する場合には、シャーシ５及び筐体内部の突出部６とに設けた切欠部１１が互いに重なるように、シャーシ５を筐体内部へ落とし込みネジ止めし固定する構成とする。このため、シャーシ５と筐体内部に設けた突出部６とに設けた切欠部１１の部分には、筐体の高さ方向に対して縦に空洞ができる。光ケーブル８を通す際には、この空洞の内に光ケーブル８を通すことでシャーシ５上面にある光基板２と筐体の一方側面の下方に設けられたコネクタ４とを接続することが可能となる。
【００２４】
第２の実施形態では、上述したような構成とすることで、シャーシ５と光ケーブル８が干渉することを防止したため、第１の実施形態より更にメンテナンスを行う際の取り外しが容易となる。また第２の実施形態では、光ケーブル８をシャーシ５の下面側を通して筐体の一方側面に設けたコネクタ４と接続するようにしているため、光ケーブル８を固定する際には、光ケーブル８を巻いた状態で束ね固定具を設けて筐体内部の底面等に固定するようにすることで、光ケーブル８が固定されず振動等により光ケーブル８の接続部分に負荷がかかることを防止することができる。
また、第２の実施形態で第１の実施形態と同様の構成部分については、第１の実施形態と同様の効果を奏することはいうまでもない。
【図面の簡単な説明】
【００２５】
【図１】第１の実施形態に係る無線機の構成図
【図２】第２の実施形態に係る無線機の構成図
【図３】第２の実施形態に係るシャーシを上面から見た図
【図４】第２の実施形態に係る筐体内部を上面から見た図
【図５】従来の無線機の構成図
【符号の説明】
【００２６】
１  ＲＦ−ＭＯＤＥＭ基板、２  光基板、３  デュプレクサ、４  コネクタ、  ５  シャーシ、５a  折り曲げ部、６  突起部、７  アンテナ部、８  光ケーブル、９  ケーブル、１０  プッシュオンコネクタ、１１  切欠部
【図１】
2008193353.tif 000003
【図２】
2008193353.tif 000004
【図３】
2008193353.tif 000005
【図４】
2008193353.tif 000006
【図５】
2008193353.tif 000007